(57)【要約】【課題】枠体と面材との間への圧入が容易かつ脱落し難いビードを提供すること。【解決手段】ビード１０は軟質部１１と半硬質部１２とを備える。半硬質部１２がガラス側かつ圧入前方側に傾斜して形成され、軟質部１１がガラス側かつ圧入後方側に傾斜して延びるヒレ部１４を有し、ビード１０が全体として略ハ字状に形成される。従って、ビード１０を圧入する際に、ハの字が広がる方向に変形し易く、円滑に容易にビード１０を圧入することができる。半硬質部１２を圧入する際の変形による半硬質部１２の反発力が大きく、半硬質部１２が中途半端な位置では、反発力により逆方向に押し返されるので、半硬質部１２が係止位置の手前の位置で圧入作業を終えてしまうことが防止でき、ビード１０の圧入を確実に実施でき、ビード１０を脱落し難くすることができる。【選択図】図３
2008240242.tif 000002
【特許請求の範囲】
【請求項１】
枠体と、この枠体に支持される面材との間に圧入されて、前記面材を保持するビードであって、
前記枠体と前記面材との間に圧入される方向に関し、圧入前方側に設けられる半硬質部と、圧入後方側に設けられる軟質部とを備え、
前記半硬質部は、前記面材側かつ前記圧入前方側に傾斜した形状に形成されるとともに、前記圧入された状態において、当該半硬質部の一端が前記面材に当接し、他端が前記枠体に係止可能に構成され、
前記軟質部は、前記面材側かつ前記圧入後方側に傾斜して延びる押圧部を有するとともに、前記圧入された状態において、前記押圧部が前記面材に押圧状態で当接し、当該軟質部の背面側が前記枠体に当接可能に構成されるビード。
【請求項２】
前記押圧部の前記面材側には、当該面材と当接可能なフラット面が形成されている請求項１に記載のビード。
【請求項３】
前記押圧部は、前記圧入方向に沿って並列された一対のヒレ部を有して構成されている請求項１または請求項２に記載のビード。
【請求項４】
前記軟質部には、前記枠体に向かって突出した少なくとも１つの背面突起が形成されている請求項１から請求項３のいずれかに記載のビード。
【請求項５】
枠体と、この枠体に支持される面材と、この面材を保持する請求項１から請求項４のいずれかに記載のビードとを備える建具。
【発明の詳細な説明】
【技術分野】
【０００１】
本発明は、窓枠や障子の框等の枠体と、この枠体に支持されるガラスやパネル等の面材との間に圧入されて当該面材を保持するビードおよび建具に関する。
【背景技術】
【０００２】
従来、枠体と、この枠体に支持される面材としてのガラスとを備える建具に用いられ、枠体とガラスとの間に嵌め込まれてガラスを保持するビードが知られている（例えば、特許文献１参照）。
この特許文献１に記載のビードは、軟質樹脂製であり、ビード本体と、このビード本体からガラス側に突設されたヒレ部とを備えて一体成形されている。このビードは、枠体とガラスとの間に嵌め込まれた状態で、ヒレ部の先端がガラスに当接するとともに屈曲変形して、ヒレ部の反力によってガラスを押圧してガラスを保持するように構成されている。
【０００３】
【特許文献１】特許３４４７８１５号公報
【発明の開示】
【発明が解決しようとする課題】
【０００４】
しかしながら、特許文献１に記載のビードは、全体が弾性変形し易い軟質樹脂製で形成されているので、枠体とガラスとの間に容易に押し込むことができるが、取り付けられたビードを外部から観察しても、隙間内のヒレ部等の状態が見えないので、例えば、ビードのヒレ部がどの程度変形しているかや、ビード全体が所望の位置に嵌め込まれているかといったことを、確認することが困難である。そのため、ビードがガラスの端縁に沿って一様に嵌め込まれていない状態のまま、例えば、ヒレ部が部分的にねじれていたりして、ヒレ部の反発力が十分にガラスに作用していない状態で、建具が使用される可能性があり、建具の使用中に、ガラスに風圧や振動等が加わったりすると、ビードが枠体とガラスとの間から外れてしまう可能性がある。
【０００５】
本発明の目的は、枠体と面材との間への圧入が容易で、かつ、脱落し難いビード、および、このビードを備えた建具を提供することである。
【課題を解決するための手段】
【０００６】
本発明のビードは、枠体と、この枠体に支持される面材との間に圧入されて、前記面材を保持するビードであって、前記枠体と前記面材との間に圧入される方向に関し、圧入前方側に設けられる半硬質部と、圧入後方側に設けられる軟質部とを備え、前記半硬質部は、前記面材側かつ前記圧入前方側に傾斜した形状に形成されるとともに、前記圧入された状態において、当該半硬質部の一端が前記面材に当接し、他端が前記枠体に係止可能に構成され、前記軟質部は、前記面材側かつ前記圧入後方側に傾斜して延びる押圧部を有するとともに、前記圧入された状態において、前記押圧部が前記面材に押圧状態で当接し、当該軟質部の背面側が前記枠体に当接可能に構成されることを特徴とする。
【０００７】
ここで、ビードの一部に枠体に係止される被係止部を形成し、この被係止部だけを半硬質樹脂製とすることが考えられるが、ビードが嵌め込まれた状態で、軟質部よりも剛性の高い半硬質部の被係止部が枠体等に係止されていれば、ビードが簡単には外れ難くできる。しかし、ビードを嵌め込む際に、軟質部の部分が変形することで、被係止部が所望の位置まで押し込まれずに中途半端な位置で止まってしまうことがあり、建具の使用中にビードが脱落する可能性が残ってしまう。
これに対して、本発明によれば、半硬質部が面材側かつ圧入前方側に傾斜した形状に形成され、軟質部が面材側かつ圧入後方側に傾斜して延びる押圧部を有し、これらの半硬質部および押圧部によってビードが全体として略ハ字状に形成されている。このような形状であれば、ビードを圧入する際に、ビードのハの字が広がる方向に変形し易く、ビードを円滑に圧入できる。
また、半硬質部は、軟質部よりも剛性が大きいので、半硬質部を枠体と面材との間へ圧入する際の変形による反発力も大きくなり、仮に、半硬質部が所定の位置まで押し込まれずに、中途半端な位置で押し込みを止めると、反発力によって、半硬質部が逆方向に押し返されるので、半硬質部の押し込み量が適正でないことを取り付けの際に容易に判別することができる。従って、半硬質部が係止位置まで圧入される手前の位置で取り付け作業を終えてしまうことが防止でき、ビードの圧入を確実に実施できる。
【０００８】
また、ビードを圧入した状態では、ビードの半硬質部の一端側が面材に当接し、他端側が枠体に係止されるので、面材の面外方向への半硬質部の移動が規制され、係止状態が維持できるので、ビードが枠体と面材との間から脱落し難くできる。
また、半硬質部および押圧部によってビードが全体として略ハ字状に形成されているので、ビードを圧入した状態では、ビードのハの字が広がる方向に変形しても、半硬質部と枠体との係止状態が持続できる。
また、押圧部が面材を押圧し、軟質部の背面側が枠体に当接するので、面材に風圧や振動等の負荷が加わった場合には、その負荷に応じて軟質部が弾性変形してその負荷を吸収することができる。
【０００９】
この際、本発明のビードでは、前記押圧部の前記面材側には、当該面材と当接可能なフラット面が形成されていることが好ましい。
さらに、本発明のビードでは、前記押圧部は、前記圧入方向に沿って並列された一対のヒレ部を有して構成されていることが好ましい。
また、本発明のビードでは、前記軟質部には、前記枠体に向かって突出した少なくとも１つの背面突起が形成されていることが好ましい。
【００１０】
本発明の建具は、枠体と、この枠体に支持される面材と、この面材を保持する前記ビードとを備えることを特徴とする。
このような構成によれば、前述のビードと同様の効果、すなわち、枠体と面材との間へビードを容易に圧入でき、かつ、ビードが脱落し難くできるという効果が得られる。
【発明を実施するための最良の形態】
【００１１】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１２】
〔第１実施形態〕
図１は、本発明の第１実施形態に係る建具である嵌め殺し窓１を示す縦断面図である。図２は、嵌め殺し窓１の上枠２部分を拡大して示す縦断面図である。図３は、嵌め殺し窓１の後付ビード１０を示す断面図である。図４は、後付ビード１０の取付手順を説明する縦断面図である。
図１において、嵌め殺し窓１は、上枠２、下枠３、および左右の縦枠４を四周枠組みした枠体としての窓枠５と、この窓枠５の内部に支持された面材としてのガラス（複層ガラス）６とを備えて構成されている。窓枠５には、見付け方向内方に開口する保持溝７が四周に連続して形成され、この保持溝７にガラス６の周縁部が支持されるようになっている。上枠２の保持溝７は、下方に開口した縦断面凹状に形成されている。下枠３に形成された保持溝７には、セッティングブロック８が取り付けられている。
【００１３】
図２にも示すように、上枠２は、外壁開口部に固定されるアルミ押出形材製の上枠本体２１と、この上枠本体２１に取り付けられたガラス６用の押縁であるアタッチメント２２とを有して構成されている。上枠本体２１には、ガラス６よりも室外側に位置し、保持溝７の室外側面を構成する見付け片部２３が形成されている。見付け片部２３には、縦断面略チェンネル状の室外側係止部２４が形成されている。この室外側係止部２４には、ガラス６の室外側面と上枠２との隙間を埋める先付ビード２５が保持されている。
【００１４】
アタッチメント２２は、図２に示すように、ガラス６よりも室内側に位置し、縦断面略チェンネル状の室内側係止部２２１と、この室内側係止部２２１から上側に延設された室外側見付け片２２２とを有して一体形成されている。アタッチメント２２は、上枠本体２１の室内側寄りに形成された係止部２６に嵌め込まれ係止されている。
アタッチメント２２の略チェンネル状の室内側係止部２２１における開口２２３は、ガラス６の室内側面に対向している。また、室内側係止部２２１は、開口２２３の下側に形成される見付け片部２２４と、見付け片部２２４に連続する見込み片部２２５とを有している。
【００１５】
このようにして、アタッチメント２２は、上枠２の保持溝７の室内側面を構成して、室内側係止部２２１とガラス６の室内側面との隙間には、後述する後付ビード１０が嵌め込まれている。なお、アタッチメント２２は、図示しないが、左右の縦枠４にも同様に設けられている。
【００１６】
以下、後付ビード１０について、図２，図３に基づいて説明する。
図２に示すように、後付ビード１０は、軟質樹脂で形成された軟質部１１と、この軟質部１１よりも大きな剛性を有する半硬質樹脂で形成された半硬質部１２とを有し、一様の縦断面の長尺状に２色成形されている。半硬質部１２は、ガラス６と窓枠５との隙間への圧入方向において前方に位置し、軟質部１１は、圧入方向の後方に位置する。
【００１７】
ここで、半硬質部１２を形成する半硬質樹脂としては、例えば、ポリ塩化ビニル（ＰＶＣ）、ポリエチレンテレフタレート（ＰＥＴ）等が好適である。また、軟質部１１を形成する軟質樹脂としては、例えば、エチレン‐プロピレン共重合体（ＥＰＭ）、エチレン‐プロピレン‐ジエン共重合体（ＥＰＤＭ）、シリコーン系ゴム、軟質ＰＶＣ、エチレン酢酸ビニル共重合体（ＥＶＡ）、各種エラストマー（ＰＶＣ系、エチレン酢酸ビニル系、塩素化ポリエチレン、スチレンブタジエン、ウレタン系）等が好適である。
【００１８】
図３に示すように、軟質部１１は、アタッチメント２２の室内側係止部２２１のガラス６側に位置する軟質本体部１３と、この軟質本体部１３からガラス６側かつ圧入方向後方側に向かって傾斜して延びる一対のヒレ部１４と、これらのヒレ部１４におけるガラス６側の端部に対してそれぞれ剥離可能に連続して設けられた剥離部１５と、軟質本体部１３から室内側に突出した突出部１６とを有して構成されている。
剥離部１５は、ガラス６に対して平行なシート状に形成され、フラット面を構成している。一対のヒレ部１４は、圧入方向に沿って並列して設けられるとともに、剥離部１５の室外側は、当該ヒレ部１４の弾性変形による反発力によってガラス６に押し付けられている。
【００１９】
剥離部１５の厚さ寸法は、１．０mm〜１．２mmに設定され、剥離部１５の圧入方向前方の端部は、一対のヒレ部１４のうち圧入方向前方に位置するヒレ部１４との連続部よりも圧入方向前方に延設されている。剥離部１５との連続部分におけるヒレ部１４の厚さ寸法は、他の部分の厚さ寸法よりも薄く、剥離部１５をヒレ部１４から引き離す方向に引っ張ることで、剥離できるようになっている。
突出部１６は、室内側係止部２２１の見込み片部２２５と当接し、後付ビード１０の圧入方向前方への移動を規制している。突出部１６の圧入方向前方側における軟質本体部１３の背面１９部分は、室内側係止部２２１の見付け片部２２４に当接している。また、突出部１６と、軟質本体部１３と、ヒレ部１４と、剥離部１５における各圧入方向後方の端部が、当該ヒレ部１４の傾斜方向に沿った同一の傾斜面１１Ａ上を構成するように配列されている。なお、本実施形態における押圧部は、一対のヒレ部１４および剥離部１５によって構成されている。
【００２０】
半硬質部１２は、軟質本体部１３との接続部からガラス６側かつ圧入方向前方側に向かって傾斜した形状に形成されている。半硬質部１２の一端１７は、半円状を成し、ガラス６の室内面に当接している。半硬質部１２の他端１８は、室内側に延設されて室内側係止部２２１の開口２２３に向かって突出して形成され、室内側係止部２２１の見付け片部２２４と当接することによって、後付ビード１０の上枠２の内方への移動が規制されるようになっている。半硬質部１２の圧入方向前方側には、ガラス６側の一端１７から室内側に向かって傾斜面１２Ａが形成されている。
以上のような後付ビード１０において、軟質部１１の傾斜面１１Ａと、半硬質部１２の傾斜面１２Ａとは、ガラス６側に開いたハ字状に形成されている。
【００２１】
図２に示すように、後付ビード１０が圧入された状態と、図３に示すように、圧入されていない状態とを比較すれば明らかなように、後付ビード１０の２箇所の傾斜面１１Ａ，１２Ａのハ字状の開き程度は、圧入されて弾性変形した状態の方が大きくなっている。このように、後付ビード１０がガラス６とアタッチメント２２との隙間に圧入される際に、後付ビード１０が弾性変形し、その反発力によってガラス６が室外側に押圧され、ガラス６が保持溝７に確実に保持されるようになっている。
【００２２】
このような構成の嵌め殺し窓１におけるガラス６の取付手順について、図１，図２に基づいて説明する。
先ず、先付ビード２５を上枠２、下枠３および左右の縦枠４の室外側係止部２４に装着する。次に、ガラス６を室内側から下枠３の保持溝７に配置されたセッティングブロック８に載置した状態で、窓枠５の保持溝７に嵌め込む。次に、アタッチメント２２を上枠２および左右の縦枠４に取り付ける。さらに、ガラス６を先付ビード２５に押し付けた状態で、後付ビード１０をガラス６とアタッチメント２２との隙間に上枠２と下枠３と左右の縦枠４に対してそれぞれ内方から圧入する。
【００２３】
ここで、後付ビード１０の圧入手順について、図４も参照して詳しく説明する。
まず、図４（Ａ）に示すように、剥離部１５および半硬質部１２の一端１７をガラス６に押し付けながら、半硬質部１２の他端１８を室内側係止部２２１の見込み片部２２５に当接した状態で、半硬質部１２をガラス６とアタッチメント２２との隙間に押し込む。
次に、図４（Ｂ）に示すように、半硬質部１２の傾斜面１２Ａが湾曲した状態で、圧入方向前方に押し込む。この状態では、圧入を止めると、半硬質部１２の反発力によって、後付ビード１０全体が圧入方向後方に押し戻されるので、後付ビード１０が所定の位置まで圧入されているかどうかを後付ビード１０の状態を見れば分かるようになっている。
さらに、後付ビード１０を押し込んで、半硬質部１２の他端１８を開口２２３に係止し、かつ、軟質部１１の突出部１６を見込み片部２２５に当接し、軟質本体部１３の背面１９部分が見付け片部２２４に当接した状態にする。なお、半硬質部１２の硬度が軟質部１１よりも大きいので、ガラス６およびアタッチメント２２との当接部における滑りがよく、後付ビード１０を円滑に圧入できる。
このようにして、図２に示すように、後付ビード１０を上枠２とガラス６との隙間に圧入することができるとともに、後付ビード１０によってガラス６が押圧されることで、ガラス６を面外方向に移動不能に保持することができる。
【００２４】
次に、後付ビード１０の剥離部１５を剥がした状態での使用例について図５に基づいて説明する。図５は、嵌め殺し窓１の後付ビード１０の剥離部１５を分離した状態を示す縦断面図である。一対のヒレ部１４におけるガラス６側の端部が、直接ガラス６と当接可能に構成されているので、剥離部１５を軟質部１１から剥離することによって、剥離部１５の厚さ寸法の分だけ、後付ビード１０の見込み方向の寸法が小さくなり、ガラス６と上枠２との隙間寸法の製造誤差等によるバラツキに対応することができる。
【００２５】
このような本実施形態によれば、以下のような効果を奏することができる。
（１）半硬質部１２がガラス６側かつ圧入前方側に傾斜した形状に形成され、軟質部１１がガラス６側かつ圧入後方側に傾斜して延びる一対のヒレ部１４およびヒレ部１４に連続する剥離部１５を有し、これらの半硬質部１２、ヒレ部１４、剥離部１５によって後付ビード１０が全体として略ハ字状に形成されているので、後付ビード１０を圧入する際に、後付ビード１０のハの字が広がる方向に変形し易く、後付ビード１０を円滑に容易に圧入することができる。また、後付ビード１０の変形量（隙間寸法に対する重なり代）を従来よりも大きく設定できるので、上枠２とガラス６との隙間寸法のバラツキを後付ビード１０が確実に吸収でき、ガラス６の保持力を一層高めることができる。また、後付ビード１０を圧入する際に、後付ビード１０のハの字が広がる方向に変形し易いので、半硬質部１２の他端１８のアタッチメント２２に対する係り代を大きく設定することができ、後付ビード１０を確実に保持することができる。
【００２６】
（２）半硬質部１２の剛性が軟質部１１より大きいので、半硬質部１２を上枠２とガラス６との間へ押圧する際の変形による反発力も大きく、半硬質部１２の他端１８がアタッチメント２２の見付け片部２２４を乗り越える瞬間に、押圧状態から開放されるクリック感が確実に得られる。従って、半硬質部１２の他端１８がアタッチメント２２に引っ掛かる位置まで後付ビード１０が押し込まれたかどうか、すなわち、後付ビード１０の押し込み量が適正かどうかを容易に判断できる。このように、半硬質部１２が適正な押し込み位置まで圧入されていない状態で後付ビード１０の取り付け作業を終えてしまうことが防止され、後付ビード１０の圧入を確実に実施できる。
【００２７】
（３）後付ビード１０を圧入した状態では、後付ビード１０の半硬質部１２の一端１７がガラス６に当接し、他端１８がアタッチメント２２に係止されるので、ガラス６の面外方向への半硬質部１２の移動が規制され、係止状態が維持できるので、後付ビード１０が窓枠５とガラス６との間から脱落し難くできる。
【００２８】
（４）半硬質部１２、ヒレ部１４、剥離部１５によって後付ビード１０が全体として略ハ字状に形成されているので、後付ビード１０を圧入した状態では、後付ビード１０のハの字が広がる方向に変形しても、半硬質部１２の他端１８とアタッチメント２２との係止状態が持続できる。
【００２９】
（５）軟質部１１が圧入方向に沿って並列された一対のヒレ部１４を有するので、後付ビード１０を圧入した状態で、ヒレ部１４が１枚の場合よりも、ヒレ部１４の変形による大きな反発力が確保でき、ガラス６を確実に保持することができる。また、圧入された状態でのヒレ部１４および剥離部１５が一様な変形をし易くなり、均質な保持力が得られる。また、３枚以上の場合よりも、押圧部が容易に変形し易くなるので、窓枠５とガラス６との間へ後付ビード１０を圧入し易くすることができる。
【００３０】
（６）ヒレ部１４のガラス６側に当該ガラス６と当接された剥離部１５が形成されているので、後付ビード１０を圧入した状態で、剥離部１５がガラス６に密着するので、互いの摩擦力によって、後付ビード１０がガラス６に吸着され易くなり、後付ビード１０が窓枠５とガラス６との間から一層脱落し難くできる。
【００３１】
（７）押圧部がガラス６を押圧し、軟質部１１の背面１９が見付け片部２２４に当接するので、ガラス６に風圧や振動等の負荷が加わった場合には、その負荷に応じて軟質部１１が弾性変形してその負荷を吸収することができる。
【００３２】
［第２実施形態］
次に、本発明の第２実施形態に係る後付ビード１０Ａについて図６に基づいて説明する。図６は、後付ビード１０Ａを示す断面図である。この後付ビード１０Ａは、前述の第１実施形態の後付ビード１０に対して、一対のヒレ部１４におけるガラス６側の端部同士が第２のフラット面を構成する連接部１５Ａによって連続して形成されている構成が相違するもので、その他の構成は略同様である。すなわち、剥離部１５は、連接部１５Ａと略平行に配置され、当該連接部１５Ａに対して剥離可能に一体的に形成されている。このように、ガラス６と上枠２との隙間寸法の製造誤差等によるバラツキに対応する際に、剥離部１５が軟質部１１から剥離されても、後付ビード１０Ａが圧入された状態で、連接部１５Ａがガラス６に密着するので、前述の剥離部１５と同様に、後付ビード１０Ａが窓枠５とガラス６との間から一層脱落し難くできるようになっている。
【００３３】
なお、本実施形態の後付ビード１０Ａとしては、図７に示すような構成を採用してもよい。図７は、本実施形態の変形例に係る後付ビード１０Ｂを示す断面図である。この後付ビード１０Ｂは、前述の後付ビード１０Ａに対して、軟質本体部１３の背面１９に背面突起１９Ａが圧入方向に沿って並列して複数形成されている構成が相違するもので、その他の構成は略同様である。この背面突起１９Ａは、後付ビード１０Ｂが圧入された状態で、室内側係止部２２１の見付け片部２２４に当接されるようになっている。
なお、本変形例における背面突起１９Ａは、１箇所でもよい。
【００３４】
このような本実施形態によれば、前記（１）〜（５），（７）の効果と略同様の効果に加えて以下の効果を奏することができる。
（８）ヒレ部１４のガラス６側の端部に連接部１５Ａが連続して形成され、剥離部１５が連接部１５Ａに略平行に、かつ、連接部１５Ａに対して剥離可能に一体的に形成されているので、ガラス６と上枠２との隙間寸法のバラツキに対応するために、剥離部１５を軟質部１１から剥離しても、連接部１５Ａをガラス６に密接させることができ、後付ビード１０Ａが窓枠５とガラス６との間から一層脱落し難くできる。
【００３５】
（９）軟質本体部１３の背面１９に背面突起１９Ａが圧入方向に沿って形成されているので、後付ビード１０Ｂが圧入された状態で、背面突起１９Ａが室内側係止部２２１の見付け片部２２４に当接されて弾性変形することによって、後付ビード１０Ｂがより確実にガラス６を保持できる。
【００３６】
なお、本発明は、前記実施形態に限定されるものではなく、本発明の目的を達成できる他の構成等を含み、以下に示すような変形等も本発明に含まれる。
例えば、前記実施形態において、後付ビード１０は、面材としてのガラス６の室内側に取り付けられる説明をしたが、ガラス６の室外側に取り付けられる先付ビード２５にも適用してもよい。
また、前記実施形態では、後付ビード１０は、上下および左右の４方向の全ての枠材に設けられる説明をしたが、これに限らず、枠材の少なくとも一部に本発明のビードが設けられていてもよい。
また、前記実施形態では、後付ビード１０としては、フラット面としての剥離部１５を有するものを説明したが、本発明のビードとしては、フラット面を備えていないものも含まれる。
【００３７】
また、前記実施形態では、後付ビード１０における押圧部としては、一対のヒレ部１４を有するものを説明したが、１枚のヒレ部または３枚以上のヒレ部を有するものでもよく、あるいは、ヒレ状ではなく、例えば、棒状や線状の軟質材料で押圧部が構成されていてもよい。
また、前記実施形態では、後付ビード１０は、軟質部１１と半硬質部１２とを２色成形して一体的に製造されると説明したが、半硬質部および軟質部を別個に製造した後に両者を接着剤などで貼り合わせてもよい。
また、前記実施形態では、ビードは、面材としてのガラス６と枠体としての窓枠５とを備える建具としての絞め殺し窓１に用いられる説明をしたが、これに限らず、ビードは、面材と框体とを備える障子や戸に用いられてもよい。本発明の建具には、絞め殺し窓に限らず、引き戸や開き扉などの建具も含まれる。
また、本発明の面材としては、ガラス６に限らず、パネルであってもよい。
また、前記実施形態では、枠体としての窓枠５と、押圧部としてのヒレ部１４および剥離部１５と、フラット面としての剥離部１５と、面材としてのガラス６とを説明したが、本発明の枠体と押圧部とフラット面と面材とを備えることによっても、前記実施形態と同様の効果を奏することができる。
【図面の簡単な説明】
【００３８】
【図１】本発明の第１実施形態に係る建具を示す縦断面図である。
【図２】前記建具の上部を拡大して示す縦断面図である。
【図３】前記建具のビードを示す断面図である。
【図４】前記ビードの圧入方法を説明する縦断面図である。
【図５】前記ビードの別の使用形態を示す断面図である。
【図６】本発明の第２実施形態に係るビードを示す断面図である。
【図７】前記実施形態の変形例に係るビードを示す断面図である。
【符号の説明】
【００３９】
１…嵌め殺し窓（建具）、５…窓枠（枠体）、６…ガラス（面材）、１０，１０Ａ，１０Ｂ…後付ビード、１１…軟質部、１２…半硬質部、１４…ヒレ部、１５…剥離部（フラット面）、１７…半硬質部の一端、１８…半硬質部の他端、１９…軟質部の背面、１９Ａ…背面突起。
【図１】
2008240242.tif 000003
【図２】
2008240242.tif 000004
【図３】
2008240242.tif 000005
【図４】
2008240242.tif 000006
【図５】
2008240242.tif 000007
【図６】
2008240242.tif 000008
【図７】
2008240242.tif 000009